(57)【要約】【課題】設置する際の作業性を向上できる開口部の防水装置を提供する。【解決手段】構造物１の開口部６を開閉する開閉体４に対して屋外側に設置されて開口部を閉塞するシート１０と、シートの幅方向端部の一辺に予め固定されており、一辺を保持する保持部材５と、開口部の幅方向の端部に位置する柱状の支持部材２に対して、支持部材の長手方向に延在する状態で保持部材を固定する固定手段２０と、を備え、保持部材は、固定手段によって、支持部材における開口部側と反対側の面２１に対して固定される。【選択図】図４
2014227810.tif 000002
【特許請求の範囲】
【請求項１】
構造物の開口部を開閉する開閉体に対して屋外側に設置されて前記開口部を閉塞するシートと、
前記シートの幅方向端部の一辺に予め固定されており、前記一辺を保持する保持部材と、
前記開口部の幅方向の端部に位置する柱状の支持部材に対して、前記支持部材の長手方向に延在する状態で前記保持部材を固定する固定手段と、
を備え、前記保持部材は、前記固定手段によって、前記支持部材における前記開口部側と反対側の面に対して固定される
ことを特徴とする開口部の防水装置。
【請求項２】
前記固定手段は、前記反対側の面に前記支持部材の長手方向に沿って配置された突起部と、前記保持部材に設けられ、前記突起部と係合する係合部とを有し、
前記係合部が前記突起部と係合することにより、前記保持部材が前記支持部材に対して固定される
請求項１に記載の開口部の防水装置。
【請求項３】
前記固定手段は、前記シートが前記開閉体と、前記支持部材と、床面とを一体に覆う位置で前記保持部材を前記支持部材に対して固定する
請求項１または２に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
防水装置を設置する際の作業性を向上できることが望まれている。例えば、構造物に対してシートを容易に固定できることが好ましい。また、例えば、シートを設置するときのシワやたるみの発生を抑制できることが好ましい。
【０００５】
本発明の目的は、設置する際の作業性を向上できる開口部の防水装置を提供することである。
【課題を解決するための手段】
【０００６】
本発明の開口部の防水装置は、構造物の開口部を開閉する開閉体に対して屋外側に設置されて前記開口部を閉塞するシートと、前記シートの幅方向端部の一辺に予め固定されており、前記一辺を保持する保持部材と、前記開口部の幅方向の端部に位置する柱状の支持部材に対して、前記支持部材の長手方向に延在する状態で前記保持部材を固定する固定手段と、を備え、前記保持部材は、前記固定手段によって、前記支持部材における前記開口部側と反対側の面に対して固定されることを特徴とする。
【０００７】
上記開口部の防水装置では、シートの幅方向端部の一辺に予め固定されており、一辺を保持する保持部材と、柱状の支持部材に対して保持部材を固定する固定手段とを備えるため、設置する際の作業性を向上できる。
【０００８】
上記開口部の防水装置において、前記固定手段は、前記反対側の面に前記支持部材の長手方向に沿って配置された突起部と、前記保持部材に設けられ、前記突起部と係合する係合部とを有し、前記係合部が前記突起部と係合することにより、前記保持部材が前記支持部材に対して固定されることが好ましい。
【０００９】
上記開口部の防水装置では、支持部材に対して容易に保持部材を固定することができ、設置する際の作業性を向上できる。
【００１０】
上記開口部の防水装置において、前記固定手段は、前記シートが前記開閉体と、前記支持部材と、床面とを一体に覆う位置で前記保持部材を前記支持部材に対して固定することが好ましい。
【００１１】
上記開口部の防水装置では、開口部を閉塞する閉塞性を高めることができる。
【発明の効果】
【００１２】
本発明に係る開口部の防水装置によれば、設置する際の作業性を向上できるという効果を奏する。
【図面の簡単な説明】
【００１３】
【図１】図１は、実施形態に係る開口部の防水装置の平面図である。
【図２】図２は、実施形態に係る開口部の防水装置のサイドガイドの固定方法を示す図である。
【図３】図３は、方立に固定されたサイドガイドおよびシートを示す図である。
【図４】図４は、実施形態に係る開口部の防水装置の要部を示す拡大図である。
【図５】図５は、実施形態の第１変形例に係るシートおよびサイドガイドを示す平面図である。
【図６】図６は、実施形態の第２変形例に係るサイドガイドを示す平面図である。
【図７】図７は、実施形態の第３変形例に係るサイドガイドの第一構成部材を示す斜視図である。
【図８】図８は、実施形態の第４変形例に係るシートおよびサイドガイドを示す平面図である。
【図９】図９は、実施形態の第５変形例に係る固定手段の説明図である。
【図１０】図１０は、実施形態の第６変形例に係るサイドガイドを示す斜視図である。
【発明を実施するための形態】
【００１４】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１５】
［実施形態］
図１から図４を参照して、実施形態について説明する。本実施形態は、開口部の防水装置に関する。図１は、本発明の実施形態に係る開口部の防水装置の平面図、図２は、実施形態に係る開口部の防水装置のサイドガイドの固定方法を示す図、図３は、方立に固定されたサイドガイドおよびシートを示す図、図４は、実施形態に係る開口部の防水装置の要部を示す拡大図である。
【００１６】
図１には、実施形態に係る開口部の防水装置１−１を鉛直方向の上方から見た図が示されている。本実施形態に係る開口部の防水装置１−１は、シート１０と、サイドガイド５とを含んで構成されている。また、開口部の防水装置１−１は、図２に示す固定手段２０を含んで構成されている。開口部の防水装置１−１は、更に方立２を含んで構成されてもよい。
【００１７】
図１に戻り、本実施形態の構造物１は、店舗であり、開口部６は店舗の出入口である。店舗のフロント部分は板状のガラス３によって屋内と屋外とが仕切られている。方立２は、ガラス３を支持する枠部としての機能を有しており、ガラス３の縁部が方立２に嵌め込まれている。ガラス３の下部の縁部は、図２に示す下部支持部材８に嵌め込まれている。下部支持部材８は、開口部６の幅方向に延在する断面矩形の部材である。方立２は、開口部６の幅方向の両端部にそれぞれ設けられた柱状の支持部材であり、鉛直方向に延在している。方立２は、床面７から、少なくとも開閉体４におけるシート１０によって覆われる領域の上端位置まで設けられている。
【００１８】
本実施形態に係る構造物１では、一対の方立２によって開口部６の幅方向の端部が形成されている。方立２は、断面矩形の部材であり、開口部６の幅方向と平行な２つの平面と、幅方向と直交する２つの平面とを有する。方立２は、例えば、アルミ等の金属材料で構成されている。
【００１９】
図１に示す本実施形態の開閉体４は、両開きのスライド式の自動ドアである。開閉体４は、２枚のドア４１，４２を有する。ドア４１，４２は、それぞれドア枠４１ａ，４２ａと、ガラス４１ｂ，４２ｂとを有する。ガラス４１ｂ，４２ｂは、ドア枠４１ａ，４２ａによって支持されている。ドア４１，４２は、方立２に対して屋内側に配置されている。開閉体４は、図示しないモータ等の動力によってドア４１，４２を幅方向に移動させることで開口部６を開放あるいは閉塞する。
【００２０】
シート１０は、構造物１の開口部６を開閉する開閉体４に対して屋外側に設置されて開口部６の下端側の領域を閉塞する。本実施形態に係るシート１０の形状は、矩形である。シート１０は、遮水性を有しており、開口部の防水シートとして機能する。また、シート１０は、可撓性を有しており、伸縮可能であってもよい。シート１０の素材は、例えば、樹脂、ゴム、表面を樹脂などでコーティングした布等である。シート１０は、水圧による開閉体４の変形に追従できる素材で構成されることが好ましい。
【００２１】
シート１０の幅は、開口部６の幅よりも大きい。シート１０は、開閉体４の鉛直方向下端側の部分と、構造物１における開閉体４に隣接する部分とを一体に覆う。本実施形態に係るシート１０は、図１、図３および図４に示すように、サイドガイド５を介して方立２に対して固定された状態で、開閉体４と、方立２と、床面７とを一体に覆う。つまり、後述する固定手段２０は、シート１０が開閉体４と、方立２と、床面７とを一体に覆う位置でサイドガイド５を方立２に対して固定する。これにより、シート１０は、開閉体４と方立２との隙間や開閉体４と床面７との隙間、ドア４１とドア４２との隙間を介して屋内に水が浸入することを抑制することができる。
【００２２】
サイドガイド５は、シート１０の幅方向端部の一辺に予め固定されており、当該一辺を保持する保持部材である。本実施形態では、シート１０の幅方向の両端にそれぞれサイドガイド５が固定されている。サイドガイド５は、例えばアルミ等の金属材料あるいは樹脂材料等で構成されている。図２に示すように、サイドガイド５は、第一構成部材５１と、第二構成部材５２とを有する。第一構成部材５１は、直角に屈曲した断面Ｌ字形状の部材である。第一構成部材５１は、屈曲部を挟んで一方側に位置する第一平板部５１ａと、他方側に位置する第二平板部５１ｂとを有する。第二構成部材５２は、平板状の部材である。第二構成部材５２は、第一構成部材５１の第二平板部５１ｂと幅および長さが等しい。
【００２３】
第二平板部５１ｂと第二構成部材５２との間にシート１０の一辺を挟み込んだ状態で、第二平板部５１ｂと第二構成部材５２とがビス等の締結部材２３によって締結されている。これにより、サイドガイド５は、シート１０の一辺を保持してシート１０にたるみやシワが発生することを抑制している。
【００２４】
固定手段２０は、開口部６の幅方向の端部に位置する柱状の支持部材に対して、支持部材の長手方向に延在する状態で保持部材を固定する。本実施形態では、方立２が支持部材、サイドガイド５が保持部材である。固定手段２０は、図３に示すように、方立２の長手方向に延在する状態でサイドガイド５を方立２に対して固定する。
【００２５】
本実施形態に係る固定手段２０は、図２に示すように、方立２における開口部６側と反対側の面２１に方立２の長手方向に沿って配置された複数の突起部２２と、サイドガイド５に設けられ、突起部２２と係合する複数の係合部５３とを有する。係合部５３が突起部２２と係合することにより、サイドガイド５が方立２に対して固定される。よって、サイドガイド５を方立２に対して容易に固定することができるという利点がある。
【００２６】
サイドガイド５の第一平板部５１ａには、複数の係合部５３が形成されている。係合部５３は、第一平板部５１ａを貫通する貫通孔である。係合部５３は、方立２に設けられた突起部２２と係合する。突起部２２は、方立２における開口部６側と反対側の面２１に方立２の長手方向に沿って複数配置されている。突起部２２は、フックとして機能するものであり、方立２から開口部６側と反対側に突出している。突起部２２は、軸部２２ａと、円盤状の頭部２２ｂを有する。軸部２２ａの一端は方立２に対して固定されており、他端は頭部２２ｂに接続されている。頭部２２ｂの外径は、軸部２２ａの外径よりも大きい。突起部２２は、方立２の長手方向に等間隔で配置されている。
【００２７】
係合部５３は、突起部２２に対応して設けられており、第一平板部５１ａの長手方向に等間隔で配置されている。係合部５３は、大径部５３ａと小径部５３ｂとを有する。大径部５３ａは、突起部２２の頭部２２ｂを挿入可能な内径を有する円形の孔部である。小径部５３ｂは、大径部５３ａに対して第一平板部５１ａの長手方向の一方側に形成されたスリット状のものであり、大径部５３ａと連通している。小径部５３ｂの幅は、軸部２２ａの外径よりも大きく、かつ頭部２２ｂの外径よりも小さい。つまり、頭部２２ｂは、小径部５３ｂを通過することができない。
【００２８】
図２に示すように、サイドガイド５は、大径部５３ａに対して小径部５３ｂが上側に位置するようにして方立２に取り付けられる。各突起部２２の頭部２２ｂを各係合部５３の大径部５３ａに挿入させ、サイドガイド５を下方にスライドさせることにより、軸部２２ａが小径部５３ｂに挿入された状態となる。これにより、サイドガイド５が方立２の開口部６側と反対側の面２１に対して固定される。重力により、軸部２２ａが小径部５３ｂと係合した状態が維持され、突起部２２が係合部５３から抜けることが抑制される。このように、本実施形態に係る固定手段２０は、突起部２２が係合部５３から抜けることを規制する規制機構を有している。
【００２９】
図３に示すように、サイドガイド５は、第一平板部５１ａが開口部６側と反対側の面２１に当接し、第二平板部５１ｂが方立２の正面２４に当接するようにして方立２に固定される。シート１０は、図３に示すように、下端部１０ａが床面７を覆う状態に設置される。サイドガイド５は、シート１０の一辺における下端側の一部には設けられていない。つまり、シート１０の下端部１０ａは、自在に屈曲することができる。固定手段２０は、シート１０の下端部１０ａが床面７を覆う位置でサイドガイド５を方立２に対して固定する。
【００３０】
屋外から水が寄せてくると、図４に示すように、水圧によってシート１０が方立２や開閉体４に向けて押し付けられる。その際、シート１０が方立２のコーナー部２５に当接する。これにより、シート１０は方立２および開閉体４に密着し、隙間を塞いで屋内側への水の浸入を抑制する。シート１０は、方立２と開閉体４とを一体に覆い、開閉体４と方立２との隙間を閉塞する。また、シート１０は、その他の隙間、例えばドア４１とドア４２との隙間を閉塞して屋内への水の浸入を抑制する。また、シート１０は、水圧によって床面７に向けて押し付けられ、床面７と開閉体４とを一体に覆い、床面７および開閉体４に密着する。シート１０は、床面７と開閉体４との隙間を閉塞し、屋内への水の浸入を抑制する。なお、シート１０の下端部１０ａ上に押圧部材を設置するようにしてもよい。押圧部材は、自重により下端部１０ａを床面７に向けて押圧する部材である。押圧部材がシート１０の下端部１０ａを床面７に向けて押圧することで、シート１０と床面７との間からの浸水をより確実に抑制することができる。押圧部材の形状は、例えば、平板形状とすることができる。
【００３１】
以上説明したように、本実施形態に係る開口部の防水装置１−１は、サイドガイド５がシート１０に対して予め固定されており、サイドガイド５を固定手段２０によって方立２に対して固定するだけでシート１０を開口部６に容易に設置することができる。また、本実施形態では、方立２に設けられた突起部２２に対してサイドガイド５の係合部５３を係合させて引っかけることによりサイドガイド５を方立２に対して固定することができる。よって、設置作業が容易である。
【００３２】
また、本実施形態に係る開口部の防水装置１−１は、設置時にサイドガイド５を方立２に固定するものであるため、意匠性の低下を抑制できるという利点がある。例えば、サイドガイド５をシート１０と着脱可能な別部材として常時方立２に対して固定しておく場合、構造物１のフロント部分の意匠性の低下を招く可能性がある。一例として、方立２における屋外側を向いた面、すなわち正面２４にサイドガイド５を常に固定しておくことは、意匠性の観点からユーザーに受け入れられないことがある。
【００３３】
これに対して、本実施形態に係る開口部の防水装置１−１では、サイドガイド５が方立２に対して着脱可能であり、平常時はサイドガイド５を方立２に取り付けておく必要がない。よって、フロント部分の意匠性の低下を抑制することができる。また、突起部２２は、方立２における開口部６側と反対側の面２１に配置されており、サイドガイド５は、開口部６側と反対側の面２１に対して固定される。突起部２２が上記反対側の面２１に配置されていることにより、通行者が開口部６を出入りする際に突起部２２が目立たないため、フロント部分の意匠性の低下を招きにくいという利点がある。また、通行者が開口部６を出入りする際に突起部２２が邪魔になりにくいという利点がある。
【００３４】
また、本実施形態に係る開口部の防水装置１−１では、サイドガイド５によってシート１０の一辺が保持されているため、シート１０にシワやたるみが生じにくいという利点がある。よって、シート１０と方立２との密着性やシート１０と開閉体４との密着性を高め、防水性能を向上させることができる。また、シート１０がサイドガイド５を介して方立２に固定されることで、シート１０の一部に力が集中することが抑制される。例えば、シート１０に形成した孔にハトメ等を付けて直接突起部２２に引っかけるようにして固定する場合、水圧が掛かるときにシート１０の一部に応力集中が生じる可能性がある。これに対して、本実施形態では、サイドガイド５がシート１０の一辺を保持していることにより、応力集中が抑制される。
【００３５】
開閉体４は、本実施形態で例示された自動ドアには限定されない。開閉体４は、例えば、開き戸や折れ戸、シャッターカーテン等であってもよい。また、自動で開閉されるものだけでなく、手動で開閉されるものであってもよい。また、開閉体４は、両開きに限らず、片開きのものであってもよい。
【００３６】
本実施形態の構造物１では、開口部６の幅方向の両端に支持部材としての方立２が配置されているが、これに限らず、開口部６の幅方向の一端にのみ方立２が配置されていてもよい。この場合、方立２が配置されている方の端部では、方立２における開口部６側と反対側の面２１にサイドガイド５を固定するようにすればよい。方立２のような柱状の支持部材が設けられていない方の端部では、例えば、壁面等に設けた突起を利用してサイドガイド５を固定するようにしてもよい。
【００３７】
本実施形態では、構造物１が店舗であったが、これに限定されるものではなく、ギャラリー、展示室、美術館、事務所等の来客や観客が出入りするものであってもよいし、その他の構造物であってもよい。また、本実施形態では、開閉体４が屋内と屋外とを仕切るものであったが、これには限定されず、開閉体４は屋内側と屋外側とを仕切るものであってもよい。例えば、開閉体４は、建屋内における屋外側の通路と屋内側の室内とを仕切るものであってもよい。
【００３８】
本実施形態では、柱状の支持部材が断面矩形の方立２であったが、支持部材の形状はこれには限定されない。支持部材は、開口部６側と反対側の面２１を有するものであればよい。上記反対側の面２１は平面であることが好ましいが、凹凸を有していたり、湾曲していたりしてもよい。この場合、シートガイド５の形状を上記反対側の面２１の形状に応じた形状とすることが好ましい。
【００３９】
［実施形態の第１変形例］
実施形態の第１変形例について説明する。図５は、実施形態の第１変形例に係るシートおよびサイドガイドを示す平面図である。サイドガイド５の第一構成部材５５は、第一平板部５５ａと第二平板部５５ｂとが直交する断面Ｌ字形状の部材である。第１変形例に係るサイドガイド５は、方立２に対して固定された状態で、第一構成部材５５の第二平板部５５ｂが第一平板部５５ａよりも開口部６側と反対側に位置する点が上記実施形態のサイドガイド５（図４参照）と異なる。第１変形例に係るサイドガイド５は、方立２に対して固定されたときに、方立２の正面２４とシート１０との間に第二平板部５５ｂが挟まれない。よって、シート１０が方立２の正面２４に当接しつつ、方立２のコーナー部２５から開口部６側、すなわち屋内側に折り曲げられる。従って、シート１０と方立２との密着性を高め、屋内への浸水を効果的に抑制することができる。
【００４０】
また、第１変形例に係るシート１０では、シート１０の幅方向の端部縁部に芯部材１１が配置されている。芯部材１１は、断面円形の棒状の部材であり、その長さは、サイドガイド５の長さに対応している。芯部材１１は、シート１０のうちサイドガイド５が固定される範囲に配置されている。シート１０の幅方向の端部は、折り返されて袋状に閉じられており、芯部材１１はシート１０の折り返し部分１０ｂの内部に包まれている。
【００４１】
第１変形例に係るサイドガイド５は、両面接着テープＴを介してシート１０に対して固定されている。図５に示すように、シート１０の端部の屋内側の面に第一構成部材５５の第二平板部５５ｂが、屋外側の面に第二構成部材５２がそれぞれ両面接着テープＴを介して貼着されている。両面接着テープＴを介してサイドガイド５とシート１０とが貼り付けられていることで、シート１０における応力集中が抑制される。水圧によってシート１０に対して矢印Ｙ１方向の力が作用した場合に、シート１０と両面接着テープＴとの接着面全体でこの力を分散して受けることができるため、シート１０の一部に応力集中が発生することが抑制される。
【００４２】
また、第１変形例に係るサイドガイド５では、第一構成部材５５に対して第二構成部材５２が開口部６側に向けて突出している。第二構成部材５２の開口部６側の端部５２ａは、サイドガイド５が方立２に対して固定された状態で、方立２の正面２４と対向するように、第一構成部材５５よりも開口部６側に突出している。従って、端部５２ａは、方立２からシート１０が浮き上がることを抑制し、シート１０と方立２との密着性を高めることができる。なお、端部５２ａ、すなわち第二構成部材５２において第一構成部材５５よりも開口部６側に突出した部分は、シート１０に貼着されていなくてもよい。このようにすれば、端部５２ａはシート１０の浮き上がりを抑制しつつ、水圧がかかった場合にはシート１０が方立２に密着することを許容できるという利点がある。
【００４３】
［実施形態の第２変形例］
実施形態の第２変形例について説明する。図６は、実施形態の第２変形例に係るサイドガイド５を示す平面図である。サイドガイド５は、上記第１変形例のサイドガイド５と同様とすることができる。第一構成部材５５および第二構成部材５２は、それぞれ両面接着テープＴを介してシート１０に対して貼着されている。第２変形例に係るシート１０は、芯部材１１が設けられていない点、および折り返し部分１０ｂが設けられていない点で上記第１変形例と異なる。
【００４４】
［実施形態の第３変形例］
実施形態の第３変形例について説明する。図７は、実施形態の第３変形例に係るサイドガイド５の第一構成部材５１を示す斜視図である。図７に示す係合部５４は、第一平板部５１ａに形成された切欠部である。第３変形例では、上記実施形態（図２参照）の係合部５３に代えて、係合部５４が固定手段２０の構成要素となっている。
【００４５】
係合部５４は、正面視（Ａ方向視）における形状が略逆Ｌ字形状であり、第一スリット部５４ａと第二スリット部５４ｂとを有する。第一スリット部５４ａは、スリット状であり、第一平板部５１ａにおける短手方向の端部から第二平板部５１ｂに向けて短手方向に延在している。第二スリット部５４ｂは、スリット状であり、第一スリット部５４ａの第二平板部５１ｂ側の端部から長手方向の一方に向けて延在している。第一スリット部５４ａの幅および第二スリット部５４ｂの幅は、突起部２２（図２参照）の軸部２２ａの外径よりも大きく、かつ頭部２２ｂの外径より小さい。係合部５４は、第一平板部５１ａに対して長手方向に複数配置されている。
【００４６】
サイドガイド５は、図７に示すように第二スリット部５４ｂが第一スリット部５４ａに対して上側に位置する状態で方立２に取り付けられる。突起部２２の軸部２２ａを第一スリット部５４ａを通過させて第二スリット部５４ｂと係合させることで、サイドガイド５を方立２に対して固定することができる。重力によって、軸部２２ａが第二スリット部５４ｂと係合した状態が維持され、突起部２２が係合部５４から抜けることが規制される。
【００４７】
［実施形態の第４変形例］
実施形態の第４変形例について説明する。図８は、実施形態の第４変形例に係るシートおよびサイドガイドを示す平面図である。サイドガイド５は、上記第２変形例のサイドガイド５と同様とすることができる。第４変形例に係るシート１０は、第二構成部材５２に対して巻き付けられている。シート１０の幅方向の端部は、折り返されて袋状あるいは筒状に閉じられており、第二構成部材５２はシート１０の折り返し部分１０ｂの内部に包まれている。第一構成部材５５の第二平板部５５ｂは、第二構成部材５２と互いに対向するようにして、両面接着テープＴを介してシート１０の折り返し部分１０ｂに貼着されている。
【００４８】
シート１０に対して矢印Ｙ１で示す幅方向の引っ張り力が作用すると、シート１０がサイドガイド５と共にＹ１方向に移動する。すると、第一構成部材５５が方立２に当接し、それ以上のシート１０の幅方向の移動を規制する。サイドガイド５とシート１０とが面接触するため、シート１０の一部に応力が集中することが抑制される。例えば、シート１０が締結部材２３との接触部で支持される場合よりも、応力集中が緩和される。
【００４９】
［実施形態の第５変形例］
実施形態の第５変形例について説明する。図９は、実施形態の第５変形例に係る固定手段の説明図である。第５変形例に係る固定手段３０は、磁力によって、サイドガイド５を方立２に対して固定する。第５変形例に係る固定手段３０は、サイドガイド５の第一構成部材５６と、固定部材９とを含んで構成されている。第一構成部材５６の形状は、上記第２変形例の第一構成部材５５と略同様とすることができる。ただし、第一構成部材５６には、係合部５３，５４は不要である。本変形例の第一構成部材５６は、第一平板部５６ａと第二平板部５６ｂとを有し、少なくとも第一平板部５６ａが磁石で構成されている。
【００５０】
固定部材９は、方立２の内部に固定されており、磁石によって吸引される磁性体である。方立２は中空であり、固定部材９は、開口部６側と反対側の面２１の内面側に配置されている。
【００５１】
サイドガイド５を方立２に対して固定する場合、第一平板部５６ａを開口部６側と反対側の面２１に近づけることにより、第一平板部５６ａと固定部材９との間に磁力による吸引力が作用する。これにより、第一平板部５６ａが開口部６側と反対側の面２１に固定される。なお、第一平板部５６ａが磁性体、固定部材９が磁石とされてもよく、第一平板部５６ａおよび固定部材９の両方が磁石とされてもよい。
【００５２】
なお、サイドガイド５を方立２に対して固定する固定手段は、上記実施形態や各変形例に例示したものには限定されない。例えば、両面テープや面ファスナーを介してサイドガイド５が方立２に対して固定されてもよい。
【００５３】
［実施形態の第６変形例］
実施形態の第６変形例について説明する。図１０は、実施形態の第６変形例に係るサイドガイドを示す斜視図である。サイドガイド５の第一構成部材５１は、上記実施形態のものと同様とすることができる。第二構成部材５７は、平板状の部材であり、第一構成部材５１に対して下方に延長した延長部５９を有する。延長部５９の長さＬは、下部支持部材８の高さＨに対応している。例えば、延長部５９の長さＬは、下部支持部材８の高さＨと同一であってもよい。
【００５４】
第６変形例に係るサイドガイド５では、図１０に示すように、方立２の下端部まで第二構成部材５７が設けられている。これにより、シート１０の下端部１０ａが床面７から離間することを抑制し、シート１０の浮き上がりの発生等を抑制することができる。
【００５５】
上記の実施形態および各変形例に開示された内容は、適宜組み合わせて実行することができる。
【符号の説明】
【００５６】
１−１  開口部の防水装置
１  構造物
２  方立（支持部材）
４  開閉体
５  サイドガイド（保持部材）
６  開口部
７  床面
１０  シート
２０，３０  固定手段
２１  開口部側と反対側の面
【図１】
2014227810.tif 000003
【図２】
2014227810.tif 000004
【図３】
2014227810.tif 000005
【図４】
2014227810.tif 000006
【図５】
2014227810.tif 000007
【図６】
2014227810.tif 000008
【図７】
2014227810.tif 000009
【図８】
2014227810.tif 000010
【図９】
2014227810.tif 000011
【図１０】
2014227810.tif 000012